(57)【要約】【課題】人体に対する電極の接触安定性を向上させ、測定再現性を確保できる健康管理指針アドバイス装置を提供する。【解決手段】被験者が腹部にインピーダンス測定のための電極を接触させる（ステップ４）前に、身長，体重等の健康管理に有益な指針情報を得るための基礎となる情報を入力させる（ステップ１）。【選択図】　図３
2004141186.tif 000002
【特許請求の範囲】
【請求項１】
被験者の腹部に接触させる複数の電極を備え、
前記腹部に接触させた電極のうちいずれかの電極間のインピーダンスを測定することにより健康管理に有益な指針情報を提供する健康管理指針アドバイス装置であって、
情報を入力する入力手段及び情報を表示する表示手段の少なくともいずれかを備え、
前記インピーダンスを測定すべく被験者の腹部に前記電極を接触させた状態の前又は前記インピーダンスの測定後において、被験者に、前記入力手段による前記健康管理に有益な指針情報を得るための基礎となる情報の入力動作及び前記表示手段に表示される情報の確認動作の少なくともいずれかを行わせる健康管理指針アドバイス装置。
【請求項２】
被験者が腹部に前記電極を接触させた状態において、
前記入力手段及び表示手段の少なくともいずれかを、被験者による前記入力動作及び確認動作の少なくともいずれかを阻害する位置に設けた請求項１に記載の健康管理指針アドバイス装置。
【請求項３】
被験者が腹部に前記電極を接触させた状態において、
前記入力手段及び表示手段の少なくともいずれかを、被験者による前記入力動作及び確認動作の少なくともいずれかを阻害する姿勢で配置した請求項１に記載の健康管理指針アドバイス装置。
【請求項４】
前記インピーダンスを測定すべく被験者の腹部に前記電極を接触させた状態における、被験者による、前記入力手段による前記健康管理に有益な指針情報を得るための基礎となる情報の入力動作及び前記表示手段に表示される情報の確認動作の少なくともいずれかを禁止する請求項１に記載の健康管理指針アドバイス装置。
【請求項５】
インピーダンスを測定すべく被験者の腹部に前記電極を接触させる前に、被験者に、前記入力手段による前記健康管理に有益な指針情報を得るための基礎となる情報の入力を完了するように促す請求項１に記載の健康管理指針アドバイス装置。
【請求項６】
インピーダンスを測定すべく被験者の腹部に前記電極を接触させた状態において、被験者による、インピーダンス測定の開始を指示する測定開始指示手段の操作を許可する請求項１乃至５のいずれかに記載の健康管理指針アドバイス装置。
【請求項７】
インピーダンスの測定動作に関する情報を報知する報知手段を備えた請求項１乃至６のいずれかに記載の健康管理指針アドバイス装置。
【請求項８】
前記報知手段は、被験者の心拍に同期して、前記インピーダンス測定動作に関する情報を報知する請求項７に記載の健康管理指針アドバイス装置。
【請求項９】
前記報知手段は、被験者の呼吸に同期して、前記インピーダンス測定動作に関する情報を報知する請求項８に記載の健康管理指針アドバイス装置。
【請求項１０】
被験者の体重を測定するともに前記入力手段を有する体重測定手段と、
前記腹部に接触させる複数の電極を支持する腹部電極支持手段と、
前記体重測定手段から腹部電極支持手段との間で情報を伝送する情報伝送手段と、
前記体重測定手段に前記腹部電極支持手段を収納する収納手段と、
を備え、
前記収納手段に、前記腹部電極支持手段を収納した状態で、前記入力手段による入力動作を行う請求項１乃至９に記載の健康管理指針アドバイス装置。
【発明の詳細な説明】
【０００１】
【発明の属する技術分野】
本発明は、体脂肪率等の健康管理に有益な指針情報を提供する健康管理指針アドバイス装置に関する。
【０００２】
【従来の技術】
腹部周囲に電極を複数配置して、腹部の体脂肪率を測定しようとする装置においてベルト状のものに電極を固定した案は開示されている（例えば、特許文献１、特許文献２、特許文献３参照。）。
【０００３】
【特許文献１】
特開平１１−１１３８７０
【特許文献２】
特開平１１−１２３１８２
【特許文献２】
特開２０００−１７５８７５
【０００４】
しかしながら、これらの文献には装置そのものの具体的構成については詳細に記載されていない。
【０００５】
【発明が解決しようとする課題】
コスト、操作性、収納性などを考慮した具体的構成として、ベルトの一部に表示操作部を設ける構成が考えられるが、当然ながら以下のような問題点については言及されていない。
【０００６】
第一に、ベルトを装着してから入力操作を行うと、操作ボタンを押す行為などによって、電極がずれる。
【０００７】
第二に、表示操作部の設けられている位置や角度によっては、操作や表示を確認するために被測定者の姿勢が変化し、電極ずれを生じる可能性が大きい。
【０００８】
第三に、腹部の大きな人は表示が確認できず、操作も行いにくい。
【０００９】
第四に、操作できるように表示操作部をベルトから突出させると、重みでベルトが下がり電極が体から離れていってしまう。
【００１０】
第五に、ベルトを腹部に装着した後の必要項目入力の間ずっと腹部を外気にさらす状態となり、特に冬場においては好ましくない状態になる。
【００１１】
本発明は、上記のような問題点を解決するためになされたものであって、人体に対する電極の接触安定性を向上させ、測定再現性を確保できる健康管理指針アドバイス装置を提供することを目的とする。
【００１２】
【課題を解決するための手段】
上記目的を達成するために、本発明は、被験者の腹部に接触させる複数の電極を備え、前記腹部に接触させた電極のうちいずれかの電極間のインピーダンスを測定することにより健康管理に有益な指針情報を提供する健康管理指針アドバイス装置であって、情報を入力する入力手段及び情報を表示する表示手段の少なくともいずれかを備え、前記インピーダンスを測定すべく被験者の腹部に前記電極を接触させた状態の前又は前記インピーダンスの測定後において、被験者に、前記入力手段による前記健康管理に有益な指針情報を得るための基礎となる情報の入力動作及び前記表示手段に表示される情報の確認動作の少なくともいずれかを行わせる健康管理指針アドバイス装置である。
【００１３】
このように、インピーダンスを測定すべく被験者の腹部に電極を接触させた状態における被験者の動作により電極の接触状態が変化し、これが測定に影響を与えることを防止することができるので、電極の接触安定性を向上させ、測定再現性を確保することができる。
【００１４】
被験者が腹部に電極を接触させた状態で、その接触状態が変化するような体動としては、被験者自身による入力手段を用いた入力動作及び表示部を確認する動作があるが、本発明は、インピーダンスを測定すべく腹部に電極を接触させた状態における、このような動作を回避し、電極の接触状態を安定させるともに測定の再現性を向上させようとするものである。
【００１５】
被験者が腹部に電極を接触させるために、これらの電極は、例えば、ベルト状の部材からなる電極支持手段に支持される構成が可能であるが、電極の支持形態はこれらに限られない。
【００１６】
被験者が腹部に前記電極を接触させた状態において、前記入力手段及び表示手段の少なくともいずれかを、被験者による前記入力動作及び確認動作の少なくともいずれかを阻害する位置に設けることが好適である。
【００１７】
ここで、被験者による前記入力動作及び確認動作の少なくともいずれかを阻害する位置とは、被験者が腹部に前記電極を接触させた状態では、通常の動作としては、入力動作や確認動作が困難又は不可能な位置を指す。
【００１８】
被験者が腹部に前記電極を接触させた状態において、前記入力手段及び表示手段の少なくともいずれかを、被験者による前記入力動作及び確認動作の少なくともいずれかを阻害する姿勢で配置することが好適である。
【００１９】
ここで、被験者による前記入力動作及び確認動作の少なくともいずれかを阻害する姿勢とは、被験者が腹部に前記電極を接触させた状態では、通常の動作としては、入力動作や確認動作が困難又は不可能な姿勢を指し、位置としては、通常の動作による入力動作や確認動作が可能な位置ではあるが、特定の姿勢で配置されることにより、通常の動作による入力動作や確認動作が困難又は不可能となる場合も含まれる。
【００２０】
前記インピーダンスを測定すべく被験者の腹部に前記電極を接触させた状態における、被験者による、前記入力手段による前記健康管理に有益な指針情報を得るための基礎となる情報の入力動作及び前記表示手段に表示される情報の確認動作の少なくともいずれかを禁止することが好適である。
【００２１】
インピーダンスを測定すべく被験者の腹部に前記電極を接触させる前に、被験者に、前記入力手段による前記健康管理に有益な指針情報を得るための基礎となる情報の入力を完了するように促すことが好適である。
【００２２】
インピーダンスを測定すべく被験者の腹部に前記電極を接触させた状態において、被験者による、インピーダンス測定の開始を指示する測定開始指示手段の操作を許可することが好適である。
【００２３】
インピーダンスの測定動作に関する情報を報知する報知手段を備えることが好適である。
【００２４】
前記報知手段は、被験者の心拍に同期して、前記インピーダンス測定動作に関する情報を報知することが好適である。
【００２５】
前記報知手段は、被験者の呼吸に同期して、前記インピーダンス測定動作に関する情報を報知することが好適である。
【００２６】
被験者の体重を測定するともに前記入力手段を有する体重測定手段と、前記腹部に接触させる複数の電極を支持する腹部電極支持手段と、前記体重測定手段から腹部電極支持手段との間で情報を伝送する情報伝送手段と、前記体重測定手段に前記腹部電極支持手段を収納する収納手段と、を備え、前記収納手段に、前記腹部電極支持手段を収納した状態で、前記入力手段による入力動作を行うことが好適である。
【００２７】
【発明の実施の形態】
以下、本発明を図示の実施形態に基づいて説明する。
【００２８】
（第１の実施形態）
図１に本発明の第１の実施形態に係る健康管理指針アドバイス装置１を装着した状態の外観構成を示す。
【００２９】
健康管理指針アドバイス装置１は、主として、腹部前電極２を有する腹部前ユニット２０、脇腹電極３，４を有する脇腹ユニット３０、背中電極５を有する背中ユニット５０、ベルト６を備える。
【００３０】
腹部前電極２、脇腹電極３，４、背中電極５は、それぞれ腹部前ユニット２０，脇腹ユニット３０，背中ユニット５０を介してベルト６に支持されている。ベルト６の一方の端部は腹部前電極２に連結され、他方の端部はバックル６１を介して腹部前電極２に着脱可能に連結される。使用者は、ベルト６を臍高さの腹部周囲に巻き付け、バックル６１によって腹部前電極２に連結することにより、健康管理指針アドバイス装置１を装着する。このように、健康管理指針アドバイス装置１を装着することにより、腹部前電極２は、使用者の腹部前面の所定位置（例えば、臍の左方数ｃｍ）に、脇腹電極３，４は使用者の右脇腹に、背中電極５は使用者の背中の所定位置（例えば、正中線の左方数ｃｍ）にそれぞれ接触する。
【００３１】
図２に健康管理指針アドバイス装置１の内部構成を示す。
【００３２】
健康管理指針アドバイス装置１は、測定手段８、制御演算手段９、入力手段１２、表示手段１３、報知手段１４を備える。
【００３３】
測定手段８は、腹部前電極２及び背中電極５を介して高周波電流を印加するとともに、脇腹電極３，４によって使用者の身体に印加された電流によって生じる身体抵抗電位を検出する。制御演算手段９は、ＲＯＭ，ＲＡＭ等の記憶手段と情報処理手段であるＣＰＵとを含み、装置各部の制御及び体脂肪率，内臓脂肪面積等の健康管理に有益な指針情報の算出処理を行う。入力手段１２は、例えば、ボタンやスイッチ等からなり、使用者の年齢、性別、身長、体重等の身体的特徴を特定する身体特定化情報等の情報や装置に対する操作及び指示情報の入力を行う。表示手段１３は、例えば、ＬＣＤ等からなり、健康管理指針情報等の情報を文字や図形等により表示する。報知手段１４は、例えば、ブザーやＬＥＤ等からなり、音声や光により使用者に対して装着状態等の情報を報知する。
【００３４】
図３に健康管理指針アドバイス装置１の使用方法を示す。
【００３５】
まず、使用者は入力手段１２により、年齢、性別、身長、体重等の身体的特徴を特定する身体特定化情報等の、健康管理に有益な指針情報を得るための基礎となる個人情報を入力する（ステップ１）。
【００３６】
次に、健康管理指針アドバイス装置１を腹部の臍高さに装着する（ステップ２）。
【００３７】
装着した状態で、測定スタートスイッチを押下すると（ステップ３）、インピーダンス測定処理（体脂肪率や内臓脂肪面積等の健康管理指針情報の算出処理を含む。）が行われる（ステップ４）。
【００３８】
インピーダンス測定処理が終了すると、体脂肪率や内臓脂肪面積等の結果が表示手段１３に表示され（ステップ５）、測定動作を終了する。ステップ５において、体脂肪率や内臓脂肪面積等の結果から肥満度等の判定結果を表示手段１３に表示したり、報知手段１４で報知することもできる（後述するステップ２５、７５、８５においても同様である）。
【００３９】
このように、ベルト６を使用者が腹部に巻き付けて、各電極２〜５を所定位置に接触させる前に個人情報の入力操作を完了しておくことにより、ベルト６の装着後に各電極がずれることがなく、測定再現性を確保することができる。また、腹部を露出している時間を短くすることもできる。
【００４０】
ここで、健康管理指針アドバイス装置１の腹部への装着前に、個人情報の入力を完了するように取扱説明書に記載して使用者に対して指導をすることができる。また、個人情報の入力が完了した段階で、表示手段１３に、ベルト６の装着動作を行うようメッセージを表示し、一方で、個人情報の入力が完了しない段階では、表示手段１３にベルト６を装着しないようメッセージを表示するようにすることができる。個人情報の入力が完了していない場合には、測定スタートスイッチが無効となるように設定し、又は、ブザーの鳴動やＬＥＤの点滅等の報知手段１４で報知し、使用者の注意を喚起することもできる。
【００４１】
（変形例）
図４に第１の実施形態の変形例に係る健康管理指針アドバイス装置１の内部構成を示す。第１の実施形態と同様の構成については同様の符号を用いて説明を省略する。
【００４２】
健康管理指針アドバイス装置１の外観構成は図１と同様である。
【００４３】
図４に示すように、健康管理指針アドバイス装置１は、腹部前電極２、脇腹電極３，４、背中電極５の使用者の体表面との接触状態を検知する接触検知手段１５を備える。
【００４４】
このような接触検知手段としては、例えば、印加された電流に基づいて算出されたインピーダンスが所定の範囲内に収まるか否かを演算制御手段９において判定することにより、各電極２〜５の接触状態を検知することができる。また、ベルト６の張力を歪ゲージ等の検知手段を用いて検知し、このように検知された張力によって各電極２〜５の接触状態を検出するようにしてもよい。
【００４５】
このような変形例に係る健康管理指針アドバイス装置１の使用方法を図５に示す。
【００４６】
まず、使用者は入力手段１２により、年齢、性別、身長、体重等の身体的特徴を特定する身体特定化情報等の個人情報を入力する（ステップ１）。
【００４７】
次に、健康管理指針アドバイス装置１を腹部の臍高さに装着する（ステップ２）。
【００４８】
装着した状態で、電極の接触状態を検知し（ステップ３−２）、接触状態が正常であれば、インピーダンス測定処理（体脂肪率や内臓脂肪面積等の健康管理指針情報の算出処理を含む。）が行われる（ステップ４）。
【００４９】
インピーダンス測定処理が終了すると、体脂肪率や内臓脂肪面積等の結果が表示手段１３に表示され（ステップ５）、測定動作を終了する。
【００５０】
このようにすれば、測定スタートスイッチ１２ｂの押下を省略することができるとともに、各電極２〜５の接触状態を判定した上でインピーダンスの測定を行うので、測定再現性を確保することができる。
【００５１】
（第２の実施形態）
以下に本発明の第２の実施形態に係る健康管理指針アドバイス装置２１について説明する。
【００５２】
第１の実施形態と同様の構成については、同様の符号を用いて説明を省略する。
【００５３】
健康管理指針アドバイス装置２１の外観及び内部構成は、健康管理指針アドバイス装置１と同様である。
【００５４】
健康管理指針アドバイス装置２１は、使用方法が第１の実施形態と異なる。
【００５５】
図６に健康管理指針アドバイス装置２１の使用方法について説明する。
【００５６】
まず、健康管理指針アドバイス装置２１を腹部の臍高さに装着する（ステップ２１）。
【００５７】
装着した状態で、測定スタートスイッチを押下すると（ステップ２２）、インピーダンス測定処理が行われる（ステップ２３）。
【００５８】
健康管理指針アドバイス装置２１をはずした後に、使用者は入力手段１２により、年齢、性別、身長、体重等の身体的特徴を特定する身体特定化情報等の個人情報を入力する（ステップ２４）。
【００５９】
次に、ステップ２３で測定されたインピーダンスと入力された個人情報とに基づいて、体脂肪率や内臓脂肪面積等の健康管理指針情報の算出処理を行い、算出された体脂肪率や内臓脂肪面積等の結果が表示手段１３に表示され（ステップ２５）、測定動作を終了する。
【００６０】
このように、ベルト６をはずした後に、個人情報を入力し、入力された個人情報と装着時に測定されたインピーダンスとに基づいて体脂肪率等を算出するようにすれば、個人情報の入力動作によって各電極２〜５の使用者の体表面に対する位置がずれることがなく、測定再現性を確保することができる。
【００６１】
また、健康診断等のように多人数に対して測定を行う場合には、素早く、かつ正確に測定を行う必要があるが、先にインピーダンスの測定を行い、後で別途測定された身長や体重等の個人情報を用いて体脂肪率や内臓脂肪面積等を算出するようにすれば、使用者一人ごとの個人情報の入力による電極の位置ずれと待ち時間の発生を防止しないので、迅速かつ正確な測定が可能となる。
【００６２】
（変形例）
以下に第２の実施形態の変形例に係る健康管理指針アドバイス装置２１についえ説明する。第１及び第２の実施形態と同様の構成については同様の符号を用いて説明を省略する。
【００６３】
変形例に係る健康管理指針アドバイス装置２１の外観構成は、第２の実施形態、すなわち、図１に示す第１の実施形態の場合と同様であるが、内部構成は図示す。第１の実施形態と同様の構成については同様の符号を用いて説明を省略する。
【００６４】
健康管理指針アドバイス装置２１の外観構成は図１と同様である。
【００６５】
変形例に係る健康管理指針アドバイス装置２１の内部構成は、図４に示す第１の実施形態の変形例と同様であり、腹部前電極２、脇腹電極３，４、背中電極５の使用者の体表面との接触状態を検知する接触検知手段１５を備える。
【００６６】
このような変形例に係る健康管理指針アドバイス装置２１の使用方法を図７に示す。
【００６７】
まず、健康管理指針アドバイス装置２１を腹部の臍高さに装着する（ステップ２１）。
【００６８】
装着した状態で、電極の接触状態を検知し（ステップ２２−２）、接触状態が正常であれば、インピーダンス測定処理が行われる（ステップ２３）。
【００６９】
健康管理指針アドバイス装置２１をはずした後に、使用者は入力手段１２により、年齢、性別、身長、体重等の身体的特徴を特定する身体特定化情報等の個人情報を入力する（ステップ２４）。
【００７０】
次に、ステップ２３で測定されたインピーダンスと入力された個人情報とに基づいて、体脂肪率や内臓脂肪面積等の健康管理指針情報の算出処理を行い、算出された体脂肪率や内臓脂肪面積等の結果が表示手段１３に表示され（ステップ２５）、測定動作を終了する。
【００７１】
このようにすれば、測定スタートスイッチ１２ｂの押下を省略することができるとともに、各電極２〜５の接触状態を判定した上でインピーダンスの測定を行うので、測定再現性を確保することができる。
【００７２】
（第３の実施形態）
図８に本発明の第３の実施形態に係る健康管理指針アドバイス装置３１を示す。第１の実施形態と同様の構成については同様の符号を用いて説明を省略する。
【００７３】
健康管理指針アドバイス装置３１では、腹部前ユニット３２の構成が第１の実施形態と異なる。
【００７４】
腹部前ユニット３２は、ベルト６が連結される基部３２１と、基部３２１に対して傾斜して設けられた表示支持部３２２とを有する。
【００７５】
基部３２１は、ベルト６の面とほぼ平行な電極支持面３２１ａを有する略直方体形状をなす。電極支持面３２１ａには腹部前電極２が配置されており、装着時には電極支持面３２１ａは腹部前面に対向して接触する。表示支持部３２２は、基部３２１に対してベルト６が連結される方向にほぼ直交し、かつ、装着時には使用者に対して下方となる方向に延設されており、電極支持面３２１ａに対して約４５°後方に傾斜している。電極支持面３２１ａと同じ側に位置する、表示支持部３２２の表示部支持面３２２ａには、表示部１３と操作部１２ａが設けられている。操作部１２ａは、第１の実施形態において説明した入力手段１２の一部を構成する。
【００７６】
健康管理指針アドバイス装置３１の使用方法は、図３に示す第１の実施形態の場合と同様である。
【００７７】
ベルト６を腹部に巻き付けて、健康管理指針アドバイス装置３１を装着した状態では、使用者は表示部１３の表示を確認することも、操作部１２ａを操作することもできないので、装着時に位置決めされた各電極２〜５がその後の動作でずれてしまうことを防止することができる。従って、測定再現性を確保することができる。
【００７８】
また、本実施形態に係る健康管理指針アドバイス装置３１に対して、第１の実施形態の変形例として説明した図４に示す構成及び図５に示す使用方法を採用することもでき、同様の効果を奏する。
【００７９】
さらに、第２の実施形態として説明した図６に示す使用方法、並びにその変形例として説明した構成及び図７に示す使用方法を本実施形態に対して採用することもでき、同様の効果を奏する。
【００８０】
（第４の実施形態）
図９（ａ）に本発明の第４の実施形態に係る健康管理指針アドバイス装置４１の使用状態における正面図、図９（ｂ）に同平面図を示す。
【００８１】
第１，第２及び第３の実施形態と同様の構成については同様の符号を付して説明を省略する。
【００８２】
健康管理指針アドバイス装置４１では、脇腹ユニット４３の構成が第１，第２及び第３の実施形態と異なる。
【００８３】
脇腹ユニット４３は、ベルト６が連結される基部４３１と、基部４３１に対して傾斜して設けられた表示支持部４３２とを有する。
【００８４】
基部４３１は、ベルトの面とほぼ平行な電極支持面４３１ａを有し、若干湾曲した直方体形状をなす。電極支持面４３１ａには、脇腹電極３，４が配置されており、装着時には凹状に湾曲する電極支持面４３１ａは、凸状に湾曲する脇腹に対向して接触する。表示支持部４３２は、基部４３１に対してベルト６が連結される方向にほぼ直交し、かつ、装着時には基部４３１に対して下方となる方向に延設されており、電極支持面４３１ａに対して約４５°後方に傾斜している。表示支持部４３２の電極支持面４３１ａと反対側に位置する表示部支持面４３２ｂには、表示部１３と操作部１２ａが設けられている。
【００８５】
ベルト６を腹部に巻き付けて、健康管理指針アドバイス装置４１を装着した状態では、表示部１３及び操作部１２ａは、使用者の右側方において鉛直下方から約４５°上方へと傾斜して配置されている。従って、使用者が健康管理指針アドバイス装置４１を装着した状態で、表示部１３の表示を確認すること及び操作部１２ａを用いて操作を行うことは、使用者が通常の姿勢をとっている限り、困難である。一方で、使用者以外の第三者（例えば、医師や看護士等）は、容易に、表示部１３の表示を確認し、操作部１２ａを用いて操作を行うことができる。
【００８６】
健康管理指針アドバイス装置４１の使用方法は、図３に示す第１の実施形態の場合と同様である。
【００８７】
このように、健康管理指針アドバイス装置４１では、装着時に位置決めされた各電極２〜５がその後の動作でずれてしまうことを防止することができるとともに、表示部１３による情報の確認及び操作部１２ａを用いた操作が必要である場合には、使用者以外の第三者が表示部１３の確認及び操作１２ａの操作を容易に行うことができる。
【００８８】
また、本実施形態に係る健康管理指針アドバイス装置４１に対して、第１の実施形態の変形例として説明した図４に示す構成及び図５に示す使用方法を採用することもでき、同様の効果を奏する。
【００８９】
さらに、第２の実施形態として説明した図６に示す使用方法、並びにその変形例として説明した構成及び図７に示す使用方法を本実施形態に対して採用することもでき、同様の効果を奏する。
【００９０】
（第５の実施形態）
図１０に本発明の第５の実施形態に係る健康管理指針アドバイス装置５１を示す。第１，第２及び第３の実施形態と同様の構成については同様の符号を用いて説明を省略する。
【００９１】
健康管理指針アドバイス装置５１は、第２の実施形態と腹部前ユニット５２の構成が異なる。すなわち、健康管理指針アドバイス装置５１では、ベルトが連結される基部３２１に対して傾斜して設けられた表示支持部３２２において、電極支持面３２１ａとは反対側すなわち表示部支持面３２２ａの裏側の面３２２ｂに測定スタートスイッチ１２ｂを設けた。
【００９２】
健康管理指針アドバイス装置５１の使用方法は、図３に示す第１の実施形態の場合と同様である。
【００９３】
このようにすれば、ベルト６を腹部に巻き付け、健康管理指針アドバイス装置５１を装着した後に、表示部１３を確認し、又は操作部１２ａを操作しようとすることにより、装着時に位置決めされた電極がその後の動作でずれてしまうことを防止することができるとともに、測定スタートスイッチのみは使用者自身が操作することができる。従って、使用者が健康管理指針アドバイス装置５１の装着後に、測定を開始するためには、腹部前面に配置され、容易に操作できる測定スタートスイッチ１２ｂを操作すればよく、測定を開始するために操作部１２ａを操作しようとして無理な姿勢をとることがなくなるので、測定再現性を確保することができる。
【００９４】
また、本実施形態に係る健康管理指針アドバイス装置５１に対して、第１の実施形態の変形例として説明した図４に示す構成及び図５に示す使用方法を採用することもでき、同様の効果を奏する。
【００９５】
さらに、第２の実施形態として説明した図６に示す使用方法、並びにその変形例として説明した構成及び図７に示す使用方法を本実施形態に対して採用することもでき、同様の効果を奏する。
【００９６】
（第６の実施形態）
図１１に本発明の第６の実施形態に係る健康管理指針アドバイス装置６１を示す。第１乃至第５の実施形態と同様の構成については同様の符号を付して説明を省略する。
【００９７】
健康管理指針アドバイス装置６１は、腹部前ユニット６２の構成が、第１乃至第５の実施形態と異なる。
【００９８】
腹部前ユニット６２は、ベルト６が連結される基部６２１と、基部６２１に対して傾斜して設けられた表示支持部６２２と、基部６２１に対して表示支持部６２２とは反対側に設けられた測定スタートスイッチ支持部６２３とを有する。
【００９９】
基部６２１は、ベルト６の面とほぼ平行な電極支持面６２１ａを有する略直方体形状をなす。電極支持面６２１ａには腹部前電極２が配置されており、装着時には電極支持面６２１ａは腹部前面に対向して接触する。表示支持部６２２は、基部６２１に対してベルト６が連結される方向にほぼ直交し、かつ、装着時には使用者に対して上方となる方向に延設されており、電極支持面６２１ａに対して約４５°後方に傾斜している。電極支持面６２１ａと反対側に位置する、表示支持部６２２の表示部支持面６２２ｂには、表示部１３及び操作部１２ａが設けられている。測定スタートスイッチ支持部６２３は、基部６２１に対してベルト６が連結される方向にほぼ直交し、かつ、装着時には使用者に対して下方となる方向に延設されている。測定スタートスイッチ支持部６２３は、装着時に使用者に対して下方及び両側方となる方向に開口を有する凹部６２３１を有する。凹部６２３１内部の使用者側の面６２３１ａに測定スタートスイッチ１２ｂを配置している。凹部６２３１は、使用者が下方又はいずれかの側方から指を挿入することができる程度の大きさに形成されている。凹部６２３１内部には、測定スタートスイッチ１２ｂのみが配置されている。凹部６２３１は、装着時には使用者に対して下方及び両側方にのみ開口するので、測定スタートスイッチ１２ｂを視認することはできないが、他のスイッチは配置されていないので、手探りで測定スタートスイッチ１２ｂを探り当て、操作することができる。
【０１００】
健康管理指針アドバイス装置６１の使用方法は、図３に示す第１の実施形態の場合と同様である。
【０１０１】
このようにすれば、ベルト６を腹部に巻き付け、健康管理指針アドバイス装置５１を装着した後に、表示部１３を確認し、又は操作部１２ａを操作しようとすることにより、装着時に位置決めされた電極がその後の動作でずれてしまうことを防止することができるとともに、測定スタートスイッチは使用者自身が操作することができる。従って、使用者が健康管理指針アドバイス装置６１の装着後に、測定を開始するためには、腹部前面に配置された測定スタートスイッチ１２ｂを操作すればよい。このとき、測定スタートスイッチ１２ｂは使用者が視認することはできないが、手探りで位置を確認し操作することはできるので、測定を開始するために測定スタートスイッチ１２ｂを視認しようとして無理な姿勢をとることがないので、測定再現性を確保することができる。
【０１０２】
また、本実施形態に係る健康管理指針アドバイス装置６１に対して、第１の実施形態の変形例として説明した図４に示す構成及び図５に示す使用方法を採用することもでき、同様の効果を奏する。
【０１０３】
さらに、第２の実施形態として説明した図６に示す使用方法、並びにその変形例として説明した構成及び図７に示す使用方法を本実施形態に対して採用することもでき、同様の効果を奏する。
【０１０４】
（第７の実施形態）
図１２に本発明の第７の実施形態に係る健康管理指針アドバイス装置７１の内部構造を示す。第１乃至第６の実施形態と同様の構成については同様の符号を用いて説明を省略する。健康管理指針アドバイス装置７１の外観構成は、第１の実施形態と同様である。
【０１０５】
健康管理指針アドバイス装置７１は、インピーダンスを測定する測定手段８を介して取得された情報を用いて使用者の心拍を検知する心拍検知手段１６を備える。
【０１０６】
心拍検知手段１６と測定手段８との関係を図１３に示す。
【０１０７】
ここで、測定手段８は、腹部前電極２及び背中電極５に高周波電流を印加する高周波電流源８１及び脇腹電極３，４に接続される電圧計８２を有する。腹部前電極２及び背中電極５に接続される端子８ａ及び８ｂは、スイッチ８３，８４により、高周波電流源８１に接続される端子８ｃ，８ｄと心拍検知手段である心電計測回路１６に接続される端子１６ａ，１６ｂとを切り替えて接続される。スイッチ８３，８４の切り替えは、制御演算手段９からの指示により、測定手段８が行う。
【０１０８】
図１４に、スイッチ８３，８４を切替動作を示す。心電計測回路１６によって検知される心電図波形は図１４の最上段に示すようにＰ１，Ｐ２，Ｐ３，Ｐ４と周期的にピークが発生する。スイッチ８３，８４を端子１６ａ，１６ｂ側に接続し、心電波形を検知し、制御演算手段が、心電波形のピークの検出に同期して報知手段としてのブザーを鳴動させ報知音Ｂ１，Ｂ２，Ｂ３，Ｂ４を発生させる。心電波形のピークとピークの間Ｍ１，Ｍ２，Ｍ３，Ｍ４では、スイッチ８３，８４を端子８ｃ，８ｄ側に接続し、インピーダンスを測定する。ここで、電極２〜５と使用者の体表面との接触状態が適切でなければ、心電波形を正確に検知することができないので、ブザーが鳴動しない。このように使用者は報知音の有無によってベルト６の装着状態をも認識することができる。
【０１０９】
健康管理指針アドバイス装置７１の使用方法を図１５に示す。
【０１１０】
まず、使用者は入力手段１２により、年齢、性別、身長、体重等の身体的特徴を特定する身体特定化情報等の個人情報を入力する（ステップ７１）。
【０１１１】
次に、健康管理指針アドバイス装置１を腹部の臍高さに装着する（ステップ７２）。
【０１１２】
装着した状態で、測定スタートスイッチを押下すると（ステップ７３）、インピーダンス測定処理（体脂肪率や内臓脂肪面積等の健康管理指針情報の算出処理を含む。）並びに心拍の検知及び報知が行われる（ステップ７４）。
【０１１３】
インピーダンス測定処理が終了すると、心拍の検知及び報知も終了し、体脂肪率や内臓脂肪面積等の結果が表示手段１３に表示され（ステップ７５）、測定動作を終了する。
【０１１４】
測定の進捗状態が確認できないと使用者が不安になる場合があるが、このように、インピーダンス測定時に心拍に併せて報知音を発生させることにより、使用者に測定が正確に行われていることを報知することができるので、使用者の不安感を解消することができる。
【０１１５】
（第８の実施形態）
図１６に本発明の第８の実施形態に係る健康管理指針アドバイス装置８１の内部構造を示す。第１乃至第７の実施形態と同様の構成については同様の符号を用いて説明を省略する。健康管理指針アドバイス装置８１の外観構成は、第１の実施形態と同様である。
【０１１６】
健康管理指針アドバイス装置８１は、インピーダンスを測定する測定手段８を介して取得された情報を用いて使用者の呼吸を検知する呼吸検知手段１７を備える。
【０１１７】
呼吸検知手段１７として、例えば、ベルト６上に、ベルト６の歪量を検知するひずみゲージを取り付け、このひずみゲージの出力から使用者の呼吸を検知することができる。使用者の腹部に巻き付けられたベルト６の張力は、使用者の呼吸による腹部の膨張・収縮によって変化する。従って、このベルト６の張力変化をひずみゲージによって検知することにより、使用者の呼吸を検知することができる。
【０１１８】
本実施形態においても、第７の実施形態と同様に、ベルト６の張力変化に同期して報知手段としてのブザーを鳴動させ報知音を発生させるようにすることができる。ここでも、電極２〜５と使用者の体表面との接触状態が適切でなければ、ベルト６の張力変化が小さくなり、又は不安定となり、呼吸を正確に検知することができないので、ブザーが鳴動しない。このように使用者は報知音の有無によってベルト６の装着状態を認識することができる。
【０１１９】
健康管理指針アドバイス装置８１の使用方法を図１７に示す。
【０１２０】
まず、使用者は入力手段１２により、年齢、性別、身長、体重等の身体的特徴を特定する身体特定化情報等の個人情報を入力する（ステップ８１）。
【０１２１】
次に、健康管理指針アドバイス装置１を腹部の臍高さに装着する（ステップ８２）。
【０１２２】
装着した状態で、測定スタートスイッチを押下すると（ステップ８３）、インピーダンス測定処理（体脂肪率や内臓脂肪面積等の健康管理指針情報の算出処理を含む。）並びに呼吸の検知及び報知が行われる（ステップ８４）。
【０１２３】
インピーダンス測定処理が終了すると、呼吸の検知及び報知も終了し、体脂肪率や内臓脂肪面積等の結果が表示手段１３に表示され（ステップ８５）、測定動作を終了する。
【０１２４】
測定の進捗状態が確認できないと使用者が不安になる場合があるが、このように、インピーダンス測定時に呼吸に併せて報知音を発生させることにより、使用者に測定が正確に行われていることを報知することができるので、使用者の不安感を解消することができる。
【０１２５】
（第９の実施形態）
図１８（ａ），（ｂ），（ｃ）に本発明の第９の実施形態に係る健康管理指針アドバイス装置９１を示す。
【０１２６】
健康管理指針アドバイス装置９１は、腹部電極支持手段としての腹部装着ユニット９１１と体重測定手段としての体重計ユニット９１２とからなる。
【０１２７】
図１８（ａ）は健康管理指針アドバイス装置９１１の腹部装着ユニット９１１を使用者が装着した状態を示し、図１８（ｂ）は腹部装着ユニット９１１を体重計ユニット９１２に収納した状態を示し、図１８（ｃ）は腹部ユニット９１１を体重計ユニット９１２からとりはずした状態を示す。
【０１２８】
腹部装着ユニット９１１は、測定スタートスイッチ支持部９１１１と表示支持部９１１２とからなる。測定スタートスイッチ支持部９１１１と、表示支持部９１１２とは、ベルト９１１３の両端に設けられている。測定スタートスイッチ支持部９１１１は、使用者への装着時に、使用者に対して外側となる面９１１１ａに測定スタートスイッチ１２ｂを有し、使用者に対向する側の面９１１１ｂにベルト９１１３の端部を巻き取り及び引き出し可能に収容するリール部９１４を有する。表示支持部９１１２は、使用者への装着時に、使用者に対して外側となる面９１１２ａに表示部１３を有し、使用者に対向する側の面９１１２ｂには腹部前電極２が配置されるとともにベルト９１１３の端部が接合されている。ベルト９１１３には脇腹電極３，４を有する脇腹ユニット３０及び背中電極５を有する背中ユニット５０が設けられている。測定スタートスイッチ支持部９１１１と表示支持部９１１２は、互いに接合された状態を保持するための係合手段を有する。
【０１２９】
ベルト９１１３は、不使用時にはリール部９１４に巻き取られているので、使用者は、使用時には、ベルト９１１３をリール部９１４から引き出す。ベルト９１１３を引き出した状態で、使用者は、ベルト９１１３を腹部の臍の高さに巻き付け、腹部前電極２、脇腹電極３，４、背中電極５を位置決めした後に、測定スタートスイッチ支持部９１１１と表示支持部９１１２を係合手段によって接合する。
【０１３０】
腹部に装着しない場合には、測定スタートスイッチ支持部９１１１と表示支持部９１１２とは接合された状態で、体重計ユニット９１２の収納部９１２１に収納される。体重計ユニット９１２の収納部９１２１は、体重計ユニット９１２の上面９１２２の前方端部に、上面９１２２よりも一段低く形成されている。体重計ユニット９１２に収納される場合には、測定スタートスイッチ支持部９１１１と表示支持部９１１２は、測定スタートスイッチ９１３と表示部１３が上面を向くように配置される。測定スタートスイッチ支持部９１１１の面９１１１ｂ、及び表示支持部９１１２の面９１１２ｂの、互いの接合部とは反対側の端部から装着時に使用者に対して下方となる側の端部に亘り、それぞれの面に直交する方向に屈曲する屈曲部９１１１ｃ，９１１２ｃが形成されている。体重計ユニット９１２の収納部９１２１に収納される場合には、屈曲部９１１１ｃ，９１１２ｃが、収納部９１２１の上面９１２１ａに当接し、測定スタートスイッチ支持部９１１１の面９１１１ｂ及び表示支持部９１１２の面９１１２ｂと、収納部９１２１の上面９１２１ａとの間には空間が形成され、この空間にベルト９１１３が収納される。また、収納部９１２１の上面９１２１ａと、測定スタートスイッチ支持部９１１１又は表示支持部９１１２との間には、互いに接触し、電気信号の送受信を行う電気的接点が設けられている。この電気的接点を介して腹部装着ユニット９１１と体重計ユニット９１２との間の情報の送受信を行う。
【０１３１】
体重計ユニット９１２の上面９１２２の前方に、収納部９１２１に接して、種々の設定を行うための設定スイッチ９１２３が設けられている。
【０１３２】
図１９に健康管理指針アドバイス装置９１の内部構成を示す。
【０１３３】
腹部装着ユニット９１２の構成は、第１の実施形態における健康管理指針アドバイス装置１と同様である。上述したように、入力手段１２のうち測定スタートスイッチ１２ｂが測定スタートスイッチ支持部９１１１に設けられ、表示部１３が表示支持部９１１２にそれぞれ設けられている。制御演算手段９及び測定手段８は、表示支持部９１１２に設けることができるが、これに限られない。体重計ユニット９１１に設けられた体重計測手段６０が上述の電気的接点を介して制御演算手段９と接続される。
【０１３４】
図２０に、健康管理指針アドバイス装置９１の使用方法を示す。
【０１３５】
まず、腹部装着ユニット９１１が体重計ユニット９１２に収納され、一体化される（ステップ９１）。
【０１３６】
次に、体重計ユニット９１２の上面９１２２に使用者が載り、体重測定を行うとともに、設定スイッチ９１２３により、年齢、性別、身長等の身体的特徴を特定する身体特定化情報等の個人情報を入力する（ステップ９２）。
【０１３７】
このとき、測定された体重の情報は、使用者が所定の操作を行うことにより、又は自動的に腹部装着ユニット９１１内に設けられた制御演算手段９に送信される。
【０１３８】
次に、腹部装着ユニット９１１を体重計ユニット９１２からとりはずし、使用者の腹部の臍高さに巻き付けて、各電極２〜５を所定の位置に接触させる（ステップ６９）。
【０１３９】
ここで、測定スタートスイッチ１２ｂを押下すると（ステップ９４）、インピーダンス測定処理（体脂肪率や内臓脂肪面積等の健康管理指針情報の算出処理を含む。）が行われる（ステップ９５）。このとき、制御演算手段９では、この体重の測定値を用いて、体脂肪率等の健康管理指針情報を算出する。
【０１４０】
インピーダンス測定処理が終了すると、体脂肪率や内臓脂肪面積等の結果が表示手段１３に表示され（ステップ９６）、測定動作を終了する。
【０１４１】
このように、健康管理指針アドバイス装置９１では、体重計ユニット９１２によって体重を測定した後に、腹部装着ユニット９１１をとりはずしてインピーダンスを測定することにより、最新の体重の測定値に基づく健康管理指針情報の算出が可能となる。
【０１４２】
【発明の効果】
以上説明したように本発明によれば、人体に対する電極の接触安定性を向上させ、測定再現性を確保できる健康管理指針アドバイス装置を提供することができる。
【図面の簡単な説明】
【図１】図１は本発明の第１の実施形態に係る健康管理指針アドバイス装置を装着した状態の外観構成を示す図である。
【図２】図２は本発明の第１の実施形態に係る健康管理指針アドバイス装置の内部構成を示すブロック図である。
【図３】図３は本発明の第１の実施形態に係る健康管理指針アドバイス装置の使用方法を説明するフローチャートである。
【図４】図４は第１の実施形態の変形例に係る健康管理指針アドバイス装置の内部構成を示すブロック図である。
【図５】図５は第１の実施形態の変形例に係る健康管理指針アドバイス装置の使用方法を説明するフローチャートである。
【図６】図６は本発明の第２の実施形態に係る健康管理指針アドバイス装置の使用方法を説明するフローチャートである。
【図７】図７は第２の実施形態の変形例に係る健康管理指針アドバイス装置の使用方法を説明するフローチャートである。
【図８】図８は本発明の第３の実施形態に係る健康管理指針アドバイス装置を装着した状態の外観構成を示す図である。
【図９】図９（ａ）は本発明の第４の実施形態に係る健康管理指針アドバイス装置の使用状態における正面図であり、図９（ｂ）に同平面図を示す。
【図１０】図１０は本発明の第５の実施形態に係る健康管理指針アドバイス装置を装着した状態の外観構成を示す図である。
【図１１】図１１は本発明の第６の実施形態に係る健康管理指針アドバイス装置を装着した状態の外観構成を示す図である。
【図１２】図１２は本発明の第７の実施形態に係る健康管理指針アドバイス装置の内部構成を示すブロック図である。
【図１３】図１３は第７の実施形態に係る健康管理指針アドバイス装置の心拍検知手段と測定手段との関係を示す図である。
【図１４】図１４は第７の実施形態に係る健康管理指針アドバイス装置のスイッチの切替動作を示す図である。
【図１５】図１５は本発明の第７の実施形態に係る健康管理指針アドバイス装置の使用方法を説明するフローチャートである。
【図１６】図１６は本発明の第８の実施形態に係る健康管理指針アドバイス装置の内部構造を示すブロック図である。
【図１７】図１７は本発明の第８の実施形態に係る健康管理指針アドバイス装置の使用方法を説明するフローチャートである。
【図１８】図１８（ａ）は本発明の第９の実施形態に係る健康管理指針アドバイス装置の腹部装着ユニットを使用者が装着した状態を示し、図１８（ｂ）は同腹部装着ユニットを体重計ユニットに収納した状態を示し、図１８（ｃ）は同腹部ユニットを体重計ユニットからとりはずした状態を示す図である。
【図１９】図１９は本発明の第９の実施形態に係る健康管理指針アドバイス装置の内部構成を示すブロック図である。
【図２０】図２０は本発明の第９の実施形態に係る健康管理指針アドバイス装置の使用方法を説明するフローチャートである。
【符号の説明】
１，２１，３１，４１，５１，６１，７１，８１，９１
健康管理指針アドバイス装置
２　　　　　　　　　　　腹部前電極
３，４　　　　　　　　　脇腹電極
５　　　　　　　　　　　背中電極
１２　　　　　　　　　　入力手段
１２ｂ　　　　　　　　　測定スタートスイッチ
１３　　　　　　　　　　表示手段（表示部）
１４　　　　　　　　　　報知手段
１５　　　　　　　　　　接触検知手段
１６　　　　　　　　　　心拍検知手段
１７　　　　　　　　　　呼吸検知手段
３２，５２，６２　　　　腹部前ユニット
４３　　　　　　　　　　脇腹ユニット
９１１　　　　　　　　　腹部装着ユニット
９１２　　　　　　　　　体重計ユニット
【図１】
2004141186.tif 000003
【図２】
2004141186.tif 000004
【図３】
2004141186.tif 000005
【図４】
2004141186.tif 000006
【図５】
2004141186.tif 000007
【図６】
2004141186.tif 000008
【図７】
2004141186.tif 000009
【図８】
2004141186.tif 000010
【図９】
2004141186.tif 000011
【図１０】
2004141186.tif 000012
【図１１】
2004141186.tif 000013
【図１２】
2004141186.tif 000014
【図１３】
2004141186.tif 000015
【図１４】
2004141186.tif 000016
【図１５】
2004141186.tif 000017
【図１６】
2004141186.tif 000018
【図１７】
2004141186.tif 000019
【図１８】
2004141186.tif 000020
【図１９】
2004141186.tif 000021
【図２０】
2004141186.tif 000022